(57)【要約】      （修正有）【課題】床面の起伏や傾斜状態等に沿った状態に追従することができ、又、リフトフォークの上昇位置では、この上下揺動を少なくし、荷物のリフト姿勢を安定支持することができるリフターのリフトガイドレールを提供する。【解決手段】リフトフォーク１の基部のガイドロール２と、このガイドロール２を摺動させて昇降案内するガイドレール３との間の案内間隔Ａ２を、このガイドレール３の下端側で大きく形成したリフターのリフトガイドレールの構成。【選択図】図１
2008265916.tif 000002
【特許請求の範囲】
【請求項１】
リフトフォーク（１）の基部のガイドロール（２）と、このガイドロール（２）を摺動させて昇降案内するガイドレール（３）との間の案内間隔（Ａ）を、このガイドレール（３）の下端側で大きく形成したことを特徴とするリフターのリフトガイドレール。
【請求項２】
前記ガイドレール（３）を形成するリフト支柱（４）を後側上位へ向けて傾斜Ｄさせたことを特徴とする請求項１に記載のリフターのリフトガイドレール。
【発明の詳細な説明】
【技術分野】
【０００１】
この発明は、荷物の昇降、及び運搬を行わせるリフターのリフトガイドレールに関するもので、荷物の床面における掬い上げ、及び安定した荷物の支持上昇を行わせるものである。
【背景技術】
【０００２】
リフターのリフトフォークは、車体に対して垂直状に立設するガイドレールに沿って昇降案内するように構成（例えば、特許文献１参照）される。
【特許文献１】実開昭５７−１８８７９６号公報（第２頁、図１）
【発明の開示】
【発明が解決しようとする課題】
【０００３】
リフトフォークをリフトガイドレールに対して一定の角度に固定した状態に突出して設ける形態では、リフターの走行床面、乃至地面が傾斜したり、凹凸面があるときは、これらのリフトフォークと床面乃至地面との間に大きい間隙を生じて荷物の的確な掬取、積降し等を行うことができ難い。
【課題を解決するための手段】
【０００４】
請求項１に記載の発明は、リフトフォーク１の基部のガイドロール２と、このガイドロール２を摺動させて昇降案内するガイドレール３との間の案内間隔Ａを、このガイドレール３の下端側で大きく形成したことを特徴とするリフターのリフトガイドレールの構成とする。
リフトフォーク１はガイドロール２部をガイドレール３に沿わせて昇降移動させて荷物の昇降、積降ろしを行うことができる。ガイドレール３に対するリフトフォーク１の突出角度は、下端部では略水平状態で、上部位置では付け根よりも先端部が上位にあるように先上がりの傾斜角度に設定している。床面の荷物を掬い上げるときは、リフトフォーク１を下端部に下降させて、床面に沿って前進させながら荷物を掬い取り、このリフトフォーク１を上昇してこの荷物を上昇させる。このような荷物を掬い取るときは、このガイドレール３下部におけるガイドレール３とガイドロール２との間の間隙Ａが大きく形成されているために、リフトフォーク１のリフトガイドレール３に対する上下揺動角度が大きく維持されて、このリフトフォーク１の揺動によって床面に対する追従摺動を円滑に行わせることができる。又、リフトフォーク１の荷物を床面等に降ろすときも同様に行わせることができる。又、このリフトフォーク１によるガイドレール３上部における昇降時には、この案内間隔Ａが小さいため、リフトフォーク１の上下方向の揺動が小さく載置した荷物を安定した姿勢にして昇降する。
【０００５】
請求項２に記載の発明は、前記ガイドレール３を形成するリフト支柱４を後側上位へ向けて傾斜Ｄさせたことを特徴とするものである。前記のようにガイドレール３に沿って上昇されるリフトフォーク１は、上端部が後側へ移行するように傾斜しているために、上昇位置のリフトフォーク１、及びこれに掬い上げられた荷物は上昇するほど後重心位置に移動して、荷物支持、及び昇降を安定させることができる。又、前記のように上昇位置におけるリフトフォーク１の先上がり傾斜に構成する形態では、この荷物の載置位置をガイドレール３寄り側へ位置させて安定させることができる。
【発明の効果】
【０００６】
請求項１に記載の発明は、リフトフォーク１の下降位置で床面に沿わせて進退するときは、ガイドレール３とガイドロール２との間の案内間隔Ａが大きいために、このリフトフォーク１の上下揺動が行われ易く、床面の起伏や傾斜状態等に沿った状態に追従することができ、又、リフトフォーク１の上昇位置では、これら案内間隔Ａを狭く形成して、このリフトフォーク１の上下揺動を少なくし、荷物のリフト姿勢を安定支持することができる。しかも、ガイドレール３の案内間隙Ａを大、小に形成するものであるから構成を簡単にすることができる。
【０００７】
請求項２に記載の発明は、リフトフォーク１を昇降案内して支持するリフト支柱４を後側上位へ向けて傾斜Ｄするため、リフトフォーク１を上昇させるに伴って、上下揺動を少なくすると共に、リフトフォーク１の掬い上げ角度を前上がりに傾斜させて、しかも荷物の支持重心位置を後位のガイドレール３側に偏倚させて安定した状態に支持することができる。
【発明を実施するための最良の形態】
【０００８】
図１、〜図５に基づいて、リフターは下部フレーム５と、この下部リフトフレーム５の中央部に直立上に立設するリフト支柱４と、このリフト支柱４に沿って形成のガイドレール３と、このガイドレール３にガイドロール２を摺動させて昇降案内するリフトフォーク１等から構成する。この下部フレーム５には前側左右両側に前輪６を設け、後側中央部に操向自在の尾輪７を設けている。前記リフト支柱４には上下にスプロケット８，９を設け、これらのスプロケット８，９間にわたって巻き掛けるチェン１０の一部にリフトフォーク１基部の昇降枠１１を連結して、このチェン１０を下部スプロケット９を駆動することによって昇降することができる。この下部スプロケット９は、下部フレーム５に搭載の電動モータ１２によって往復駆動される。１３はコントロールボックス、１４は下部フレーム５後端部に搭載のバランスウエイトである。リフト支柱４の後側上部にはハンドル１５を有して、リフター作業操作を行うことができる。
【０００９】
ここにおいて、この発明に係るリフターは、リフトフォーク１の基部のガイドロール２と、このガイドロール２を摺動させて昇降案内するガイドレール３との間の案内間隔Ａを、このガイドレール３の下端側で大きく形成したことを特徴とするリフターのリフトガイドレールの構成とする。
又、前記ガイドレール３を形成するリフト支柱４を後側上位へ向けて傾斜させたことを特徴とする。
【００１０】
前記ガイドレール３は断面角形態の角パイプ材によって構成し、前記昇降枠１１に上下前後位置の四ヶ所に配置のガイドロール２の前後ロール間に位置させてこのガイドレール３の前後面に前後ガイドロール２を摺動案内させることによって、この昇降枠１１のリフトフォーク１基部には背受枠１６を設け、リフトフォーク１は平面視フォーク形態で、側面Ｌ字形態に構成している。
【００１１】
このガイドレール３は、前後面に下端部をテーパー状形態に形成した薄い厚さの薄板１７を重合し、これらの外側面に厚さの大きい厚板１８を重合させて、一体的に構成する。このため、ガイドレール３の前後方向のレール幅を上部で大きくＢし、下端部でこれよりも小さくＣし（Ｂ＞Ｃ）するように形成している。従ってこれらの前後の厚板１７に摺動案内される前後のガイドロール２間隔は一定であるから、ガイドレール３面とこれによって案内される前後ガイドロール２との間の案内間隙Ａは上部位置では小さくＡ１し、下端部ではこれよりも大きくＡ２形成される。このため、この上下のガイドレール２によって摺動される昇降枠１１と一体のリフトフォーク１は、このリフトフォーク１の昇降位置においてはこのガイドレール２に対して上下には殆んど揺動しないが、下端部においては上下に大きく揺動することができる。又、ガイドレール３の下端部におけるリフトフォーク１の突出角度は、前記案内間隙Ａの形成によって、水平面に対して前端部が下方へ下がる先下がりＦの形態に設定する。そして、このリフトフォーク１の上昇位置では、案内間隔Ａを小さくして前端部を上下へ上げた先上がりＧの形態に設定している。リフトフォーク１先端部の床面に対する追従性を良くすると共に、荷物昇降時はリフトフォーク１に対する荷物を後側へ寄せて、脱落を防止し、安定した姿勢にして昇降することができる。
【００１２】
次に、主として図６、〜図９に基づいて、ガイドレール３の内側に上下一対のガイドロール２を位置させて昇降案内させる形態である。ガイドロール２は昇降枠１１の左右両側部に配置することによって、リフトフォーク１をより安定的に支持することができるが、このガイドレール３の前後方向の幅を狭くすることができるため、リフト支柱４としての全体部の前後幅を狭くすることができる。リフト支柱４の左右両側に沿ってコの字形断面のガイドレール３を対向形成し、これら左右のガイドレール３に昇降枠１１の両側に軸受けさせた上下のガイドロール２を嵌合案内させて昇降案内させる。このガイドレール２のコの字形態の案内辺３Ａと３Ｂとを平行状に形成するが、この下端部においては前側の案内辺３Ａを前側へ偏倚させて段付部Ｅ、乃至傾斜部として、前後に幅広くＷ形成し、ガイドロール２を案内する案内間隔Ａを広く形成して、上下の各ガイドロール２が前後へ揺動可能に構成する。このため、これらガイドロール２がガイドレール２の下端部に案内されて、リフトフォーク１が床面に接近するとガイドロール２が前後に揺動し、左右のリフトフォーク１が床面に沿った形態となり易い。
【図面の簡単な説明】
【００１３】
【図１】ガイドレール下端部の側面図と、平断面図。
【図２】ガイドレール上部の一部側面図。
【図３】そのガイドレール下端部の側断面図。
【図４】リフターの側面図。
【図５】その平面図。
【図６】一部別実施例を示すリフターの側面図。
【図７】その背面図。
【図８】そのガイドレール下部の側面図。
【図９】そのガイドレール上部の側面図。
【符号の説明】
【００１４】
１    リフトフォーク
２    ガイドロール
３    ガイドレール
４    リフト支柱
Ｄ    傾斜
Ｍ    昇降モータ
【図１】
2008265916.tif 000003
【図２】
2008265916.tif 000004
【図３】
2008265916.tif 000005
【図４】
2008265916.tif 000006
【図５】
2008265916.tif 000007
【図６】
2008265916.tif 000008
【図７】
2008265916.tif 000009
【図８】
2008265916.tif 000010
【図９】
2008265916.tif 000011